(57)【要約】      （修正有）【課題】知識保持者の知識情報を、通信ネットワーク上に保持し、その知識情報を学習したいと考える受講者がその知識情報にアクセスした際、さらに学習を深めるため、または関連する物品等を購入するため、知識保持者が開催するスクールや講座等に参加したり、物品や書籍、データを注文・購入することが可能な案内および広告を提供する教育システムを提供する。【解決手段】受講者は、サーバに蓄積された知識情報にアクセスし、動画や音声、文字等を用いて知識情報を学習する。当該知識情報の習得に際し、受講者がさらに学習を進めたい場合や、不明な点を解消するため、または関連する物品や書籍、データ等を購入する場合に、当該知識情報に関連する案内および広告を参照し、当該知識提供者の開催するスクールへ参加したり、関連する物品や書籍、データ等を注文することができる。【選択図】図１
2005196706.tif 000002
【特許請求の範囲】
【請求項１】
知識保持者が自分の知識を動画や音声、文字等で記録した知識情報を蓄積する、通信ネットワークに接続された知識蓄積サーバと、受講者が知識蓄積サーバに蓄積された知識情報を習得するために使用するユーザ端末と、当該知識情報の習得に際し、当該知識情報に関連する案内や広告、または当該知識情報に関連する物品やデータ等を購入するための案内や広告を保持する広告・案内提供サーバと、関連する物品やデータ等をユーザへ提供するための販売・ダウンロードサーバと、これら端末とサーバを通信ネットワークで接続した教育システムであって、
前記知識蓄積サーバは、知識保持者が自分の知識を動画や音声、文字等で記録した知識情報を蓄積し、ユーザ端末に提供し、当該知識情報に関連した案内や広告をユーザ端末に提供し、前記ユーザ端末は、知識蓄積サーバにアクセスし、知識蓄積サーバに蓄積された知識情報の一覧を表示し、当該知識情報の一覧においてユーザの指定する知識情報の送信を知識蓄積サーバに指示し、当該知識情報を表示し、当該知識情報に関連した案内や広告、または関連する物品やデータ等を購入するための案内や広告を表示し、当該案内および広告においてユーザの指定する情報の詳細の送信を広告・案内提供サーバに指示し、当該情報の詳細を表示し、当該情報の詳細においてユーザが指定する購入要求情報を送信し、前記広告・案内提供サーバは、ユーザが知識情報を学習する際、当該知識情報に関連する案内や広告、または関連する物品やデータ等を購入するための案内や広告をユーザ端末に対して提供し、当該提供した案内および広告においてユーザの指定する情報を受信して当該案内の詳細情報を提供し、および当該案内や広告の詳細情報におけるユーザの指定する情報を受信して販売・ダウンロードサーバに物品やデータ等の提供を指示し、前記販売・ダウンロードサーバは、ユーザが指定する購入要求情報を受信し、当該要求がデータである場合にはユーザにデータを送信し、当該要求が物品等である場合には物品等を発送する、
ことを特徴とする通信ネットワーク利用教育システム。
【請求項２】
知識保持者が自分の知識を動画や音声、文字等で記録した知識情報を蓄積する、通信ネットワークに接続された知識蓄積サーバと、受講者が知識蓄積サーバに蓄積された知識情報を習得するために使用するユーザ端末と、当該知識情報の習得に際し、当該知識情報に関連する案内や広告、または当該知識情報に関連する物品やデータ等を購入するための案内や広告を保持する広告・案内提供サーバと、関連する物品やデータ等をユーザへ提供するための販売・ダウンロードサーバと、これら端末とサーバを通信ネットワークで接続した教育システムを使用する教育方法であって、前記知識蓄積サーバは、知識保持者が自分の知識を動画や音声、文字等で記録した知識情報を蓄積し、ユーザ端末に提供するステップと、当該知識情報に関連した案内や広告をユーザ端末に提供するステップと、前記ユーザ端末は、知識蓄積サーバにアクセスするステップと、知識蓄積サーバに蓄積された知識情報一覧を表示するステップと、当該知識情報一覧においてユーザの指定する知識情報の送信を知識蓄積サーバに指示するステップと、当該知識情報を表示するステップと、当該知識情報に関連した案内や広告、または関連する物品やデータ等を購入するための案内や広告を表示するステップと、当該案内および広告においてユーザの指定する情報の詳細の送信を広告・案内提供サーバに指示するステップと、当該情報の詳細を表示するステップと、当該情報の詳細においてユーザが指定する購入要求情報を送信するステップと、前記広告・案内提供サーバは、ユーザの知識情報の習得に際し、当該知識情報に関連する案内や広告、または関連する物品やデータ等を購入するための案内や広告をユーザ端末に対して提供するステップと、当該提供した案内および広告においてユーザの指定する情報を受信して当該案内の詳細情報を提供するステップと、および当該案内や広告の詳細情報におけるユーザの指定する情報を受信して販売・ダウンロードサーバに物品やデータ等の提供を指示するステップと、前記販売・ダウンロードサーバは、ユーザが指定する購入要求情報を受信するステップと、当該要求がデータである場合にはユーザにデータを送信するステップと、当該要求が物品等である場合には物品等を発送するステップと、
を含むことを特徴とする通信ネットワーク利用教育方法。
【発明の詳細な説明】
【発明の詳細な説明】
【発明が属する技術分野】
【０００１】本発明は、知識保持者が保有する知識を、インターネットなどの通信ネットワークを介してユーザーが習得する際に、当該知識情報に関連する案内や広告を提供するための技術に関する。
【背景技術】
【０００２】近年、自分の価値を高めたい、またはより充実した生活を送りたいと考える人の増加により生涯学習が活発となってきている。このような生涯学習を行いたいと考える人は、生涯学習に関する講義を行うスクールに通学する、または、郵便等で送付される通信教育を行う、または、生涯学習に関するテレビ放送を視聴する、等の手段で学習を行ってきた。
【発明が解決しようとする課題】
【０００３】しかしながら、勤労者にとっては自由になる時間が少ないため、また、遠隔地に住む人にとっては簡易に長距離を移動することが難しいため、時間および場所の指定される従来の教育システムでは学習する機会を得ることが難しいという問題があった。
【０００４】また、学習したいと考える人にとってどの教育システムが自分の欲する知識情報を提供してくれるか分かりづらいという問題があった。
【０００５】一方、知識保持者（スクール等）も、その知識をより多くの人に学習してもらいたいと考えるが、受講者にどのような知識情報を提供できるか知らせることに困難を感じたり、受講者を一定の時間・場所に集めることが難しい等の問題が発生している。
【０００６】本発明は、受講者が学習を行う時間および場所等の制約を受けずに知識情報を習得でき、かつ、知識保持者がどのような知識を保持しているか知らしめることができ、かつ、学習に関連する案内や広告に基づいて関連する物品や書籍、データ等を購入すること
を可能とする技術を提供することを目的とする。
【課題を解決するための手段】
【０００７】上記の課題を解決するために、本発明は、
知識保持者が保持する知識を記録した知識情報を通信ネットワークを介して受講者に提供する教育システムであって、
知識保持者が自分の知識を動画や音声、文字等で記録した知識情報を蓄積する、通信ネットワークに接続された知識蓄積サーバと、
受講者が知識蓄積サーバに蓄積された知識情報を習得するために使用するユーザ端末と、
当該知識情報の習得に際し、当該知識情報に関連した案内や広告、または当該知識情報に関連する物品やデータ等を購入するための案内や広告を保持する広告・案内提供サーバと、
関連する物品やデータ等をユーザへ提供するための販売・ダウンロードサーバと、
これら端末とサーバを接続した通信ネットワークと
を有することを特徴とする。
【発明を実施するための最良の形態】
【０００８】以下、本発明の実施の形態を図面を参照して説明する。【０００９】図１は、本発明の知識連携広告販売システムのブロック図である。
このシステムは、ユーザー端末１０と、知識蓄積サーバ１１と、広告・案内提供サーバ１２と、販売・ダウンロードサーバ１３と、これらを相互に接続する通信ネットワーク２０とからなる。【００１０】ユーザー端末１０は、知識保持者の知識を記録した知識情報が蓄積された知識蓄積サーバ１１にアクセスし、蓄積された知識情報一覧を画面上に表示する機能を備えている。【００１１】ユーザー端末１０は、さらに、受講者はこの一覧を元にどの知識情報を受講して学習するか選択し、知識蓄積サーバ１１に選択した知識情報を送信するよう指示し、その知識情報を表示し受講することができる機能を備えている。その際、関連する案内や広告を表示し、受講者がさらに学習を進めたい場合や、関連する物品やデータ等を購入したいと考える場合、当該案内や広告に基づき、広告・案内提供サーバ１２に詳細な情報を要求したり、販売・ダウンロードサーバ１３に購入を要求したりすることができる。【００１２】知識蓄積サーバ１１は、ユーザの操作によりユーザー端末１０が送出した知識情報選択指示情報を受け取り、蓄積された知識情報をユーザー端末１０に送信する機能を備えている。
記録され蓄積された知識情報は複数提供されており、受講者は希望する時間に希望する知識情報を学習することが可能である。【００１３】知識蓄積サーバ１１は、さらに、ユーザが指示した知識情報と共に関連する案内や広告をユーザ端末に送信する。ユーザ端末はそれらを表示し、ユーザがさらに学習を深めたい場合や、関連する物品やデータ等を購入する場合、それら案内や広告を参照して、知識保持者に連絡するための情報、あるいはこれから開かれるスクール・講座に参加するための情報、あるいは必要な物品やデータ等の情報を得ることができる。【００１４】広告・案内提供サーバ１２はこれらの情報の詳細を蓄積しており、当該詳細情報をユーザの求めに応じて広告・案内提供サーバ１２から提供する。
ユーザは当該詳細情報を参照し、購入したいと考える物品やデータ等があった場合、販売・ダウンロードサーバ１３に購入要求を送信する。【００１５】販売・ダウンロードサーバ１３は、ユーザの購入要求を受信し、要求されたものがデータであった場合ユーザにデータを送信（ダウンロード）し、要求されたものが物品等であった場合、物品等を発送する処理を行う。【００１６】図２は本発明の知識連携広告および販売システムの動作を説明するためのフローチャートである。【００１７】受講者は、ユーザー端末１０を介し、通信ネットワーク２０に接続されている知識蓄積サーバ１１にアクセスする（ステップ１０１）。【００１８】通信ネットワーク２０を介してアクセスされた知識蓄積サーバ１１は、これに応答して蓄積された知識情報の一覧をユーザー端末１０に送信する（ステップ１０２）。【００１９】受講者は、受信した知識情報の一覧から、希望する知識情報を送信するよう知識蓄積サーバ１１に指示する（ステップ１０３）。【００２０】知識蓄積サーバ１１はユーザが指示した知識情報、および関連する案内や広告情報をユーザ端末に送信する（ステップ１０４、ステップ１０５）。【００２１】ユーザは知識情報を受信し、学習を行う。その際、ユーザがさらに学習を深めたい場合や、関連する物品やデータ等を購入したいと考えた場合には、表示された案内や広告情報を参照して、さらに詳細な情報を送信するよう、広告・案内提供サーバ１２に指示することができる（ステップ１０６）。【００２２】広告・案内提供サーバ１２はその指示に基づき、詳細な情報をユーザに提示する（ステップ１０７）。
その詳細な情報には、関連する物品やデータ等を購入することができる案内や広告が含まれており、ユーザはそれらを元に販売・ダウンロードサーバ１３に購入要求を送信する（ステップ１０８）。【００２３】販売・ダウンロードサーバ１３はユーザの購入要求を判定し（ステップ１０９）、データであればユーザ端末へデータを送信（ダウンロード）し（ステップ１１０）、物品等であれば物品等の発送処理を行う（ステップ１１１）。
【発明の効果】
【００２４】以上説明した本発明によれば、
受講者が学習を行う時間および場所等の制約を受けずに知識を習得でき、かつ、知識保持者がどのような知識を保持しているか知らしめることができ、かつ、受講者が学習に関連した案内や広告に基づいて関連した物品や書籍、データ等を購入すること
が可能となる。
【図面の簡単な説明】
【図１】本発明の知識連携広告および販売システムのブロック図
【図２】本発明の知識連携広告および販売システムの動作説明図
【符号の説明】
１０  ユーザー端末
１１  知識蓄積サーバ
１２  広告・案内提供サーバ
１３  販売・ダウンロードサーバ
２０  通信ネットワーク
【図１】
2005196706.tif 000003
【図２】
2005196706.tif 000004